(57)【要約】【課題】  撮影プレイで用いる合成用画像を、利用者が自信の好みに合うように自由に作成できるようにして、利用者の満足度を向上させること。【解決手段】  撮影の前に利用者からの入力操作を受け付ける入力受け付け手段を有する受け付け機能部と、撮影手段を有し少なくとも被写体の撮影を行う機能をもつ撮影機能部とを、互いに独立した空間に配置し、撮影前の利用者による入力受け付け手段を用いた作成操作に基づき、被写体画像と合成するためのオリジナル合成用画像を生成し、このオリジナル合成用画像と撮影手段で撮影した被写体動画像とを合成したプレビュー用合成動画像を表示させて、撮影手段により被写体の静止画撮影を行い、オリジナル合成用画像と撮影手段からの被写体静止画像とを合成して合成静止画像を生成する。【選択図】      図２
2006279248.tif 000002
【特許請求の範囲】
【請求項１】
利用者である被写体を撮影する撮影手段と、該撮影手段で撮影した被写体画像と合成用画像とを合成する画像合成手段と、撮影後の合成画像を利用者の入力操作により編集する編集手段と、該編集手段によって編集された編集結果を印刷用媒体に印刷して出力する印刷出力手段とを備えた画像プリント装置において、
撮影の前に利用者からの入力操作を受け付ける入力受け付け手段を有する受け付け機能部と、前記撮影手段を有し少なくとも被写体の撮影を行う機能をもつ撮影機能部とを、互いに独立した空間に配置し、
前記撮影機能部においては、前記受け付け機能部で撮影前に利用者が作成操作をすることにより生成したオリジナル合成用画像と、前記撮影手段で撮影した被写体動画像とを、前記画像合成手段が合成したプレビュー用合成動画像を表示させて、前記撮影手段により被写体の静止画撮影を行い、
前記画像合成手段は、撮影前に事前生成された前記オリジナル合成用画像と前記撮影手段からの被写体静止画像とを合成して合成静止画像を生成することを特徴とする画像プリント装置。
【請求項２】
請求項１に記載の画像プリント装置において、
撮影前に事前生成される前記オリジナル合成用画像は、被写体の前景画像となるオリジナル合成用画像および／または被写体の背景画像となるオリジナル合成用画像であることを特徴とする画像プリント装置。
【請求項３】
請求項１に記載の画像プリント装置において、
前記受け付け機能部と、前記撮影機能部と、前記編集手段を有して合成画像を編集する機能をもつ編集機能部と、前記印刷出力手段をもつ印刷出力機能部とが、それぞれ独立した空間に配置され、前記受け付け機能部と前記撮影機能部と前記編集機能部と前記印刷出力機能部とは、同時並列に処理を実行することが可能であることを特徴とする画像プリント装置。
【請求項４】
請求項１に記載の画像プリント装置において、
前記撮影機能部は、該撮影機能部で撮影中の利用者に対して、前記受け付け機能部において別の利用者による受け付けが開始するまでの間は、撮影を許可することが可能であることを特徴とする画像プリント装置。
【請求項５】
利用者である被写体を撮影する撮影手段と、該撮影手段で撮影した被写体画像と合成用画像とを合成する画像合成手段と、撮影後の合成画像を利用者の入力操作により編集する編集手段と、該編集手段によって編集された編集結果を印刷用媒体に印刷して出力する印刷出力手段とを備えた画像プリント装置の制御方法において、
前記画像プリント装置は、撮影の前に利用者からの入力操作を受け付ける入力受け付け手段を有する受け付け機能部と、前記撮影手段を有し少なくとも被写体の撮影を行う機能をもつ撮影機能部とを、互いに独立した空間に配置した構成をとり、
撮影前の利用者による前記入力受け付け手段を用いた作成操作に基づき、被写体画像と合成するためのオリジナル合成用画像を生成するステップと、
前記オリジナル合成用画像と、前記撮影手段で撮影した被写体動画像とを合成したプレビュー用合成動画像を表示させて、前記撮影手段により被写体の静止画撮影を行うステップと、
前記オリジナル合成用画像と前記撮影手段からの被写体静止画像とを合成して合成静止画像を生成するステップとを、
有することを特徴とする画像プリント装置の制御方法。
【請求項６】
請求項５に記載の画像プリント装置の制御方法において、
撮影前に事前生成される前記オリジナル合成用画像は、被写体の前景画像となるオリジナル合成用画像および／または被写体の背景画像となるオリジナル合成用画像であることを特徴とする画像プリント装置の制御方法。
【請求項７】
請求項５に記載の画像プリント装置の制御方法において、
前記受け付け機能部と、前記撮影機能部と、前記編集手段を有して合成画像を編集する機能をもつ編集機能部と、前記印刷出力手段をもつ印刷出力機能部とが、それぞれ独立した空間に配置され、前記受け付け機能部と前記撮影機能部と前記編集機能部と前記印刷出力機能部とは、同時並列に処理を実行することが可能であることを特徴とする画像プリント装置の制御方法。
【請求項８】
請求項５に記載の画像プリント装置の制御方法において、
前記撮影機能部は、該撮影機能部で撮影中の利用者に対して、前記受け付け機能部において別の利用者による受け付けが開始するまでの間は、撮影を許可することが可能であることを特徴とする画像プリント装置の制御方法。
【発明の詳細な説明】
【技術分野】
【０００１】
本発明は、遊技場、遊園地といったアミューズメント施設などに設置される画像プリント装置およびその制御方法に係り、特に、撮影前に利用者がオリジナルな合成用画像を作成できるようにした画像プリント装置にかかわる技術に関する。
【背景技術】
【０００２】
写真シール作成装置あるいは写真シール自販機などとも呼ばれる画像プリント装置は、利用者である被写体をデジタルカメラで撮影（静止画撮影）した被写体画像と、利用者が作成した落書き画像とを合成する機能をもち、この合成画像をシール紙に印刷して出力するようになっている。
【０００３】
このような画像プリント装置において、装置の運転効率（顧客回転率）を向上させるために、撮影空間での撮影を終えた利用者については、撮影空間とは別個の編集空間に移動してもらい、この編集空間において、利用者が落書き画像（各種スタンプ画像（キャラクタ画像）や手書き線描画像など）と呼ばれる編集用画像を作成する操作を行うようにした装置が、種々知られている（例えば、特許文献１、特許文献２参照）。
【０００４】
また、撮影に際して、被写体画像に前景や背景が合成されて撮影することができる機能を持つタイプの機種、つまり、予めシステム側で用意しておいた複数の前景画像（前景静止画像）および／または背景画像（背景静止画像）から、利用者が選択した前景画像および／または背景画像を、見かけ上被写体画像に合成して撮影できる機能を持つ、画像プリント装置も知られている。例えば、予め用意しておいた複数の背景画像から、利用者が選択した背景画像を、見かけ上被写体画像に合成して撮影できる機能を持つ画像プリント装置としては、例えば、特開２００４−０２９８０８号公報（特許文献３）に記載された技術が挙げられる。
【特許文献１】特開２００３−１１０９７０号公報
【特許文献２】特開２００３−０３２５８６号公報
【特許文献３】特開２００４−０２９８０８号公報
【発明の開示】
【発明が解決しようとする課題】
【０００５】
ところで、従来の画像プリント装置では、撮影プレイの後の落書きプレイ（編集プレイ）においては、利用者は、被写体画像に対して、落書き線描を行ったり、各種スタンプ画像（キャラクタ画像）等を貼り付けたりすることで、被写体画像に合成するためのオリジナルな合成用画像（落書き画像）を、利用者が自由に作成できる。しかし、撮影プレイで用いる背景画像や前景画像といった合成用画像については、前記特許文献３に記載されているように、画像プリント装置側に予め用意されている複数の背景画像や前景画像の中から選択するのみの仕組みとなっていたため、撮影プレイで用いる合成用画像を利用者が自分の好みに合うように、自由にデザインすることができなかった。
【０００６】
また、従来の画像プリント装置では、撮影を行う撮影空間において、実際の撮影を行う前に、撮影条件（ストロボ照度、撮影画角）の選択や、背景画像や前景画像といった合成用画像の選択を行うようになっているため、撮影前の操作の分だけ、実際の撮影の時間が削られているという指摘があった。また、撮影空間で行う撮影前の操作に与えられている許容時間が短いため、時として時間切れにより、利用者が満足のいく操作を行えないケースもあることが指摘されていた。
【０００７】
また、前記特許文献１、特許文献２に示された技術のように、撮影空間と編集空間で別々の利用者が同時進行で装置の利用を行えるようにした画像プリント装置では、利用者の待ち時間を少なくすることが可能であるが、それでも撮影空間で撮影が行われている間は、装置の次の利用者は撮影が済むまで待つことを余儀なくされ、その間が手持ち沙汰であった。
【０００８】
本発明は上記の点に鑑みなされたもので、その目的とするところは、撮影プレイで用いる合成用画像を、利用者が自信の好みに合うように自由に作成できるようにして、以って、利用者の満足度を向上させることにある。また、本発明の目的とするところは、撮影前の操作を余裕をもって行える環境を構築して、利用者が撮影条件などの設定操作を誤りなく行えるようにすることにある。また、本発明の目的とするところは、現在撮影空間で撮影中であっても、次の利用者が手持ち沙汰感をもつことがないようにすることにある。
【課題を解決するための手段】
【０００９】
本発明は上記した目的を達成するために、利用者である被写体を撮影する撮影手段と、該撮影手段で撮影した被写体画像と合成用画像とを合成する画像合成手段と、撮影後の合成画像を利用者の入力操作により編集する編集手段と、該編集手段によって編集された編集結果を印刷用媒体に印刷して出力する印刷出力手段とを備えた画像プリント装置において、
撮影の前に利用者からの入力操作を受け付ける入力受け付け手段を有する受け付け機能部と、前記撮影手段を有し少なくとも被写体の撮影を行う機能をもつ撮影機能部とを、互いに独立した空間に配置し、
前記撮影機能部においては、前記受け付け機能部で撮影前に利用者が作成操作をすることにより生成したオリジナル合成用画像と、前記撮影手段で撮影した被写体動画像とを、前記画像合成手段が合成したプレビュー用合成動画像を表示させて、前記撮影手段により被写体の静止画撮影を行い、
前記画像合成手段は、前記撮影前に事前生成されたオリジナル合成用画像と前記撮影手段からの被写体静止画像とを合成して合成静止画像を生成する、
ように構成される。
【発明の効果】
【００１０】
本発明によれば、撮影の前に利用者からの入力操作を受け付ける入力受け付け手段を有する受け付け機能部と、利用者である被写体を撮影する撮影手段を有し少なくとも被写体の撮影を行う機能をもつ撮影機能部とを、互いに独立した空間に配置し、利用者が、受け付け機能部で撮影前に好みのオリジナル合成用画像（オリジナルな前景画像および背景画像）を自由に作成操作することができるようにしているので、撮影前のオリジナルな合成画像の作成過程という、従来にない娯楽性を利用者に享受してもらうことができ、以って、利用者の満足度を大いに向上させることができる。この撮影前に事前に行うオリジナル合成用画像の作成は、撮影後に行う従来からある落書きプレイ（編集プレイ）と同様の入力操作で行えるので、利用者にとまどいを与えることもなく、利用者には、撮影の前と後に落書きプレイを２度楽しんでもらうことができて、これにより、最終的に印刷出力する合成画像に対する利用者の満足度を高めることができる。また、撮影前のオリジナル合成画像の作成のための画像アイテム（スタンプ画像など）も撮影後に行う落書きプレイ用のものと兼用できる。また、受け付け機能部のある空間（受け付け空間）と撮影機能部のある空間（撮影空間）とを独立したものとしているので、撮影前の操作を余裕をもって行える環境を構築できて、利用者が撮影条件などの設定操作を誤りなく行うことができ、また、現在撮影空間で別の利用者が撮影中であっても、次の利用者は、受け付け機能部のある受け付け空間で、入力操作を行うことができて、次の利用者が手持ち沙汰感を抱くこともなくなる。
【発明を実施するための最良の形態】
【００１１】
以下、本発明の実施の形態を、図面を用いて説明する。図１〜図１１は、本発明の一実施形態による画像プリント装置に係り、図１は、本実施形態の画像プリント装置の外観を示す斜視図、図２は、本実施形態の画像プリント装置を天井部を取り去り上方から見た説明図である。
【００１２】
図１に示すように、本実施形態の画像プリント装置の外観は、概略箱状の筐体を呈するものとなっている。この筐体の２つの角部には開口部１０１および１０２が設けられ、ここから利用者が出入りできる構造となっている。開口部１０１は、遮光性素材を用いたカーテン２、３で仕切られ、同様に、開口部１０２も、遮光性素材を用いたカーテン６、７で仕切られている。なお、筐体に設ける開口部の位置は、図１の通りでなくても構わない。
【００１３】
図２に示すように、筐体内は、受け付け空間１１と、撮影空間１２と、編集空間１３の３つの空間に分かれており、受け付け空間１１と撮影空間１２とは、遮光性素材を用いたカーテン９で仕切られ、同様に、撮影空間１２と編集空間１３とは、遮光性素材を用いたカーテン１０で仕切られている。また、撮影空間１２の左右は、仕切板４Ａおよび４Ｂにより外部と仕切られ、撮影空間１２の背面は、仕切板５により外部と仕切られている。
【００１４】
筐体の内部にはその１つの面を外部に露呈させるように装置本体１が設置されており、装置本体１における受け付け空間１１に位置する側には、タッチパネル付きディスプレイ１４を備えた受け付け機能部２０１が設けられ、装置本体１における撮影空間１２に位置する側には、デジタルカメラ１８を備えた撮影機能部２０２が設けられ、装置本体１における編集空間１３に位置する側には、タッチパネル付きディスプレイ２２を備えた編集機能部２０３が設けられ、装置本体１における外部と面する側には、プリンタを内蔵しプリンタによる印刷出力を排出する払い出し口８をもつ印刷出力機能部２０４が設けられている。
【００１５】
本実施形態の画像プリント装置の利用者は、図２中で点線矢印２０１のような経路を通り、撮影前の受け付け入力操作から、撮影プレイ、撮影後の編集入力操作（落書きプレイなどの操作）、印刷結果の受け取りまでを、順次行うようになっている。
【００１６】
図３は、装置本体１を図２中の矢印Ａの方向から見た、受け付け機能部２０１の斜視図である。図３に示すように、受け付け機能部２０１の正面中央位置には、ガイダンス画面、各種操作用の画面、進行状況などを表示するタッチパネル付ディスプレイ１４が設けられている。利用者が、タッチパネル付ディスプレイ１４に接続されたタッチペン１５Ａ、１５Ｂで、このタッチパネル付ディスプレイ１４に表示されているアイコン等をタッチすることで、タッチパネル付ディスプレイ１４はその位置を検出し、接触位置に表示したアイコンに割り当てられた機能や動作が開始される。このタッチパネル付ディスプレイ１４およびタッチペン１５Ａ、１５Ｂを用いて、撮影前に利用者は、撮影条件を設定したり、撮影時に用いるオリジナルな合成用画像（前景画像および／または背景画像）を作成したりする。また、受け付け機能部２０１の正面上方位置にはスピーカ１６が設けられ、受け付け機能部２０１の正面下寄り位置には課金装置１７が設けられている。スピーカ１６は、操作中の音楽やガイダンスの音声などを出力し、課金装置１７は、利用料金の投入を受け付けて、これを収納する。
【００１７】
図４は、装置本体１を図２中の矢印Ｂの方向から見た、撮影機能部２０２の斜視図である。図４に示すように、撮影機能部２０２の正面上寄り位置にはデジタルカメラ１８（以下、カメラ１８と記す）が設けられており、撮影機能部２０２の正面の上部および左右にはストロボ２１Ａ〜２１Ｃが配置されている。このストロボ２１Ａ〜２１Ｃは、カメラ１８で被写体を静止画撮影するときにのみ発光し、その光の強さにより撮影する画像の明るさを調整可能になっている。また、撮影機能部２０２の正面の中央右側には、カメラ１８で撮影した被写体動画像とオリジナル合成用画像とを合成したプレビュー用合成動画像、カメラ１８で撮影した被写体静止画像とオリジナル合成用画像とを合成した合成静止画像の縮小画像、ガイダンス画面、各種操作用の画面、進行状況などを表示するタッチパネル付ディスプレイ１９が設けられている。利用者が、このタッチパネル付ディスプレイ１９に表示されているアイコン等を指で触れることで、タッチパネル付ディスプレイ１９はその位置を検出し、接触位置に表示したアイコンに割り当てられた機能や動作が開始される。このタッチパネル付ディスプレイ１９を用いて、撮影後に利用者は、落書き編集対象とする合成画像を選択したり、必要に応じて撮影前あるいは撮影中に利用者は、撮影条件の変更を行ったりなどする。また、撮影機能部２０２の正面のタッチパネル付ディスプレイ１９の左側には、スピーカ２０が設けられている。スピーカ２０は、撮影プレイ中の音楽やガイダンスの音声などを出力する。
【００１８】
図５は、本体装置１を図２中の矢印Ｃの方向から見た、編集機能部２０３の斜視図である。図５に示すように、編集機能部２０３の正面中央位置には、ガイダンス画面、各種操作用の画面、進行状況などを表示するタッチパネル付ディスプレイ２２が設けられている。利用者が、タッチパネル付ディスプレイ２２に接続されたタッチペン２３Ａ、２３Ｂで、このタッチパネル付ディスプレイ２２に表示されているアイコン等をタッチすることで、タッチパネル付ディスプレイ２２はその位置を検出し、接触位置に表示したアイコンに割り当てられた機能や動作が開始される。このタッチパネル付ディスプレイ２２およびタッチペン２３Ａ、２３Ｂを用いて、撮影後に利用者は、落書き編集対象の合成画像に落書き編集を行ったり、印刷レイアウトの選択を行ったりする。また、編集機能部２０３の正面上方位置にはスピーカ２４が設けられている。スピーカ２４は、操作中の音楽やガイダンスの音声などを出力する。
【００１９】
図６は、装置本体１の機能構成を示すブロック図であり、同図において、６０１は、受け付け機能部２０１、撮影機能部２０２、編集機能部２０３、印刷出力機能部２０４を含めて、画像プリント装置全体の制御を司る制御装置である。
【００２０】
制御装置６０１内において、６０２はＣＰＵ、６０３はメモリ、６０４は記憶部、６０５は画像処理部、６０６は画像出力部、６０７はＩ／Ｏ制御部、６０８は音声出力部、６０９はコイン制御部、６１０は画像入力部、６１１は画像出力部、６１２はＩ／Ｏ制御部、６１３は音声出力部、６１４は照明制御部、６１５は画像出力部、６１６はＩ／Ｏ制御部、６１７は音声出力部、６１８はプリンタ制御部である。
【００２１】
ＣＰＵ６０２は、メモリ６０３に格納されたプログラムに従って画像プリント装置全体を制御する。メモリ６０３は、画像プリント装置（システム）に予め用意された各種のプログラムを格納する。
【００２２】
記憶部６０４は、撮影条件の設定情報や各種の画像データなどを、利用者の操作に基づき記憶する、もしくは予め記憶している。この記憶部６０４が記憶する画像データは、例えば、受け付け機能部２０１および編集機能部２０３で使用するオリジナル合成用画像の作成用や撮影後の落書き画像の作成用の画像（落書き画像）アイテム（各種スタンプ画像や線描用画像のデータなど）や、装置側で予め用意した撮影時および静止画合成時に使用するための背景画像や前景画像（本実施形態では、利用者は撮影時に自身で作成したオリジナル合成用画像を利用する以外にも、場合によっては、装置側で用意したいわばお仕着せの背景画像や前景画像も利用可能としている）、撮影前の利用者の作成操作で生成されたオリジナル合成用画像（オリジナルな前景画像や背景画像）や、カメラ１８で撮影した被写体動画像や、被写体動画像とオリジナル合成用画像とを合成したプレビュー用合成動画像や、カメラ１８で撮影した被写体動画像や、被写体静止画像とオリジナル合成用画像とを合成した合成静止画像や、撮影後に利用者が行う作成操作で生成された落書き画像や、合成静止画像と落書き画像とを合成した編集合成画像などである。
【００２３】
画像処理部６０５は、ＣＰＵ６０２と協働して、撮影前の利用者の作成操作に基づきオリジナル合成用画像を生成する処理や、被写体動画像とオリジナル合成用画像とを合成してプレビュー用合成動画像を生成する処理や、被写体静止画像を補正する処理や、被写体静止画像とオリジナル合成用画像とを合成した合成静止画像を生成する処理や、撮影後の利用者の作成操作に基づき落書き画像を生成する処理や、合成静止画像と落書き画像を合成して編集合成画像を生成する処理や、レイアウト選択用画像あるいは編集合成画像に基づき印刷出力用画像を生成する処理等々の、各種の画像処理を行う。
【００２４】
画像出力部６０６は、受け付け機能部２０１のタッチパネル付ディスプレイ１４に、ガイダンス画面、各種操作用の画面、利用者の作成操作に基づき生成されたもしくは生成中のオリジナル合成用画像、進行状況などの、受け付け機能部２０１において利用者に呈示するための各種画像を表示させる。Ｉ／Ｏ制御部６０７は、タッチパネル付ディスプレイ１４に対するタッチペン１５Ａ、１５Ｂを使用した利用者の入力情報を受け取る。音声出力部６０８は、受け付け機能部２０１のスピーカ１６に、ガイダンス音声などの受け付け機能部２０１において利用者にアナウンスするための音声を出力させる。コイン制御部６０９は、課金装置１７に正規の利用料金が投入されたことを検出したり、不正コインの投入などを検出する。
【００２５】
画像入力部６１０には、撮影機能部２０２のカメラ１８で撮影した被写体の動画像や静止画像が入力される。画像出力部６１１は、撮影機能部２０２のタッチパネル付ディスプレイ１９に、プレビュー用合成動画像、撮影後の複数の合成静止画像のサムネイル画像（落書き編集対象とする合成静止画像の選択用画面）、ガイダンス画面（画像）、各種操作用の画面（画像）、進行状況などの、撮影機能部２０２において利用者に呈示するための各種画像を表示させる。Ｉ／Ｏ制御部６１２は、タッチパネル付ディスプレイ１９に対する手指などを用いた利用者からの入力情報を受け取る。音声出力部６１３は、撮影機能部２０２のスピーカ２０に、ガイダンス音声などの撮影機能部２０２において利用者にアナウンスするための音声を出力させる。照明制御部６１４は、カメラ１８による静止画撮影の際の、ストロボ２１Ａ〜２１Ｃの発光を制御する。
【００２６】
画像出力部６１５は、編集機能部２０３のタッチパネル付ディスプレイ２２に、ガイダンス画面、各種操作用の画面、落書き編集対象とする合成静止画像、落書き編集対象の合成静止画像に対する落書き編集処理中あるいは落書き編集処理結果の編集合成画像、レイアウト選択用画面などの、編集機能部２０３において利用者に呈示するための各種画像を表示させる。Ｉ／Ｏ制御部６１６は、タッチパネル付ディスプレイ２２に対するタッチペン２３Ａ、２３Ｂを使用した利用者の入力情報を受け取る。音声出力部６１７は、編集機能部２０３のスピーカ２４に、ガイダンス音声などの編集機能部２０３において利用者にアナウンスするための音声を出力させる。
【００２７】
プリンタ制御部６１８は、印刷出力機能部２０４のプリンタ２５を制御し、プリンタ２５によって、所定のシール紙などに印刷出力用画像を印刷させて、印刷済み写真シール紙を払い出し口８から排出させる。
【００２８】
図７は、本実施形態の画像プリント装置の受け付け機能部２０１における処理の流れを示すフローチャートである。
【００２９】
まず、電源投入によりシステム全体の初期設定や初期動作確認を行い、この後、受け付け機能部２０１では、ステップＳ７０１において、受け付け機能部２０１のタッチパネル付ディスプレイ１４に、画像プリント装置の紹介や、操作手順のデモ画像などを表示しつつ、規定料金が投入されたかどうかを、コイン制御部６０９を通して監視して（ステップＳ７０２）、規定料金が投入されるまでステップＳ７０１を継続する。
【００３０】
規定料金が投入されたことをコイン制御部６０９が検出すると、ステップＳ７０３において、利用者が選択した撮影条件の設定・記憶や、利用者による作成操作に基づくオリジナル合成用画像の生成・記憶を行う。撮影条件の設定は、タッチパネル付ディスプレイ１４上に撮影条件選択用画像を表示して、利用者によりタッチペン１５Ａ、１５Ｂで好みの撮影条件（ストロボ２１Ａ〜２１Ｃの明るさや、撮影画角など）を選択させることで行い、選択された撮影条件は記憶部６０４に記憶する。オリジナル合成用画像の生成は、タッチパネル付ディスプレイ１４上に、オリジナル合成用画像を作成するための操作用画面（合成用画像表示領域や、各種スタンプ画像および各種線描を行うためのペン画像など）を表示して、利用者によりタッチペン１５Ａ、１５Ｂで好みのオリジナル合成用画像（オリジナルな前景画像やオリジナルな背景画像）を作成させて、これに基づきオリジナル合成用画像の生成し、生成したオリジナル合成用画像は記憶部６０４に記憶する。オリジナルな前景画像やオリジナルな背景画像は、画面変えして別々の画面で作成するようにしても、あるいは、１つの画面上で同時に作成するようにしてもよく、場合によっては、オリジナル合成用画像の作成は、前景画像または背景画像の何れか一方のみに限るようにしてもよい。また、オリジナルな前景画像やオリジナルな背景画像は、白紙の状態から利用者が作成するようにしても、あるいは、システム側で予め用意した複数の前景画像、背景画像から利用者が選択した前景画像や背景画像に基づき、利用者がこれを適宜に加工してオリジナルな画像として作成するようにしてもよい。なお、ステップＳ７０３においては、利用者は、オリジナル合成用画像の作成を選択せずに、システム側で予め用意した複数の前景画像、背景画像からの前景画像および／または背景画像の選択のみを行うことも可能で、このように選択された前景画像および／または背景画像の利用は、以降の処理においてオリジナル合成用画像の利用と同様である。
【００３１】
図１０は、ステップＳ７０３においてタッチパネル付ディスプレイ１４上に表示される、オリジナル合成用画像を作成するための操作用画面１００１の１例を示している。この図１０に示した操作用画面１００１は、オリジナルな前景画像を作成するための画面例であり、ここでは、スタンプ画像から選択して配置した、あるいは、利用者自身が描いた、帽子とメガネと星とを配置したオリジナルな前景画像（オリジナル合成用画像）の例を示している。
【００３２】
ステップＳ７０３の次のステップＳ７０４では、予め定められた受け付け時間（受け付け機能部２０１において利用者に与えられた操作可能時間）が経過したかどうかを判定し、受け付け時間内ならばステップ７０３の処理を継続し、受付時間が経過したならば、ステップＳ７０５に進む。ステップＳ７０５では、撮影機能部２０２で別の利用者が撮影プレイ中かどうかを確認し、撮影プレイ中であれば撮影プレイが終了するまで処理を待ち、撮影機能部２０２で別の利用者が撮影プレイをしていないなら（あるいは、撮影プレイが終了したなら）、ステップＳ７０６に進む。ステップＳ７０６では、撮影機能部２０２がある撮影空間１２へ利用者を案内した後、受け付け機能部２０１での処理を終了する。なお、撮影機能部２０２へ利用者を案内する手法としては、タッチパネル付ディスプレイ１４に表示する手法、および／または、スピーカ１６から案内メッセージを音声出力する手法をとればよい。
【００３３】
図８は、本実施形態の画像プリント装置の撮影機能部２０２における処理の流れを示すフローチャートである。
【００３４】
撮影機能部２０２では、電源投入後、システムが正常に立ち上げ完了すると、ステップＳ８０１において、撮影機能部２０２のタッチパネル付ディスプレイ１９上に、受け付け機能部２０１での処理を終えていない利用者に対して、受け付け機能部２０１へ案内する画面を表示し、受け付け機能部２０１での処理を終えた利用者が撮影空間１２に入室するのを待つ。次に、受け付け機能部２０１での操作を終えた利用者が撮影空間１２へ入室したかどうかを、ステップＳ８０２の判定処理において、受け付け処理終了後に一定時間が経過したかどうかで判定するか、または、ステップＳ８０３の判定処理において、撮影機能部２０２のタッチパネル付ディスプレイ１９への入力があったかどうかで判定し、受け付け機能部２０１での操作（処理）を終えた利用者が撮影空間１２へ入室したと判定した場合には、ステップＳ８０４に進み、そうでないと判定した場合には、ステップＳ８０１に戻る。
【００３５】
ステップＳ８０４では、前記したステップＳ７０３において利用者が選択した撮影条件や、利用者の作成操作に基づいて生成したオリジナル合成用画像を用いて利用者（被写体）の撮影を行う。このステップＳ８０４では、カメラ１８で撮影した被写体動画像と記憶部６０４から読み出したオリジナル合成用画像とを合成したプレビュー用合成動画像を、撮影機能部２０２のタッチパネル付ディスプレイ１９上に表示させた状態で、カメラ１８により、利用者（被写体）を所定のタイミングと時間間隔で、記憶部６０４から読み出した撮影条件に従い、後記するシステムが許可する範囲内において、所定枚数だけ静止画撮影する。
【００３６】
図１１の（ａ）、（ｂ）は、撮影中にタッチパネル付ディスプレイ１９上に表示されるプレビュー用合成動画像１１０１、１１０２の例を示している。図１１に示したプレビュー用合成動画像１１０１、１１０２は、利用者自身が作成した、帽子とメガネと星とを配置したオリジナルな前景画像（オリジナル合成用画像）と被写体動画像とを合成したプレビュー用合成動画像の例を示している。利用者は、図１１の（ａ）のプレビュー用合成動画像１１０１を見て、自分たちの立ち位置が帽子やメガネと合っていないことを認識して、帽子やメガネと合うように立ち位置などを調整し、図１１（ｂ）に示すように、自分たちの立ち位置などが帽子やメガネと合っていることを確認して、静止画撮影を行う。ここで、図１１では図示を割愛してあるが、撮影中には、タッチパネル付ディスプレイ１９上にシャッタータイミング（静止画撮影タイミング）を示すカウントダウン数値が表示されるようになっており、利用者はこのカウントダウン数値を見ながら、シャッタータイミングに間に合うように位置合わせを行うことになる。
【００３７】
なお、撮影前あるいは撮影中に、撮影条件やオリジナル合成用画像の変更用画面をタッチパネル付ディスプレイ１９に表示して、利用者が撮影空間１２において、撮影条件の変更や、オリジナル合成用画像の簡単な変更を行うことができるようにしてもよい。
【００３８】
ステップＳ８０４での撮影処理中において、受け付け機能部２０１で別の利用者が受け付け中かどうかを判定し（ステップＳ８０５）、受け付け中でなければステップＳ８０４において、利用者に対して撮影を継続することを許可し、受け付け中であればステップＳ８０６に進む。受け付け機能部２０１で別の利用者が受け付け中であるか否かの判定は、受け付け機能部２０１においてコインの投入が行われたか、タッチペンによる操作が行われたか、特定のボタンが押されたかなどの、適宜の手法をとることができる。なお、ステップＳ８０４での撮影処理は、利用者が満足のいく撮影を行えたと判断したときに、利用者の指示により終了できるようにもなっている。
【００３９】
ステップＳ８０６では、予め定められた撮影時間が経過したかどうかを判定し、撮影時間内ならばステップＳ８０４において、利用者に対して撮影を継続することを許可し、撮影時間をオーバーしているならばステップＳ８０７に進む。なお、ステップＳ８０６での判定は、撮影時間で判定する手法以外に、撮影枚数に制限を設けて、制限枚数に達したかどうかで判定するようにしてもよい。
【００４０】
ステップＳ８０６において、撮影時間が経過したか、制限枚数に達したならば、撮影を終了し、ステップＳ８０７において、タッチパネル付ディスプレイ１９に、被写体静止画像とオリジナル合成用画像とを合成した合成静止画像の縮小画像を、複数枚並べて表示して、利用者が落書き編集して印刷したい合成静止画像を選択する。なお、静止画撮影して合成した合成静止画像の全てを編集・印刷できるようにし、ステップＳ８０７の処理を省略することも可能である。
【００４１】
ステップＳ８０７の次のステップＳ８０８では、編集機能部２０３で別の利用者による操作が終了しているかどうかを判定し、操作中であれば操作が終了するまで待ち、そうでなければステップＳ８０９に進む。ステップＳ８０９では、編集機能部２０３がある編集空間１３へ利用者を案内した後、撮影機能部２０２での処理を終了する。なお、編集機能部２０２へ利用者を案内する手法としては、タッチパネル付ディスプレイ１９に表示する手法、および／または、スピーカ２０から案内メッセージを音声出力する手法をとればよい。
【００４２】
図９は、本実施形態の画像プリント装置の編集機能部２０３における処理の流れを示すフローチャートである。
【００４３】
編集機能部２０３では、電源投入後、システムが正常に立ち上げ完了すると、ステップＳ９０１において、編集機能部２０３のタッチパネル付ディスプレイ２２上に、受け付け機能部２０１での処理を終えていない利用者に対しては、受け付け機能部２０１へ案内する画面を表示し、撮影機能部２０２での処理を終えていない利用者に対しては、撮影機能部２０２へ案内する画面を表示し、撮影機能部２０２での処理を終えた利用者が編集空間１３に入室するのを待つ。次に、撮影機能部２０２での処理を終えた利用者が編集空間１３へ入室したかどうかを、ステップＳ９０２の判定処理において、撮影処理終了後から一定時間が経過したかどうかで判定するか、または、ステップＳ９０３の判定処理において、編集機能部２０３のタッチパネル付ディスプレイ２２への入力があったかどうかで判定し、撮影機能部２０２での処理を終えた利用者が編集空間１３へ入室したと判定した場合には、ステップＳ９０４に進み、そうでないと判定した場合には、ステップＳ９０１に戻る。
【００４４】
ステップＳ９０４では、タッチパネル付ディスプレイ２２上に、ステップＳ８０７で選択された落書き編集対象の合成静止画像と、落書き編集用の画像（落書き画像）アイテム（各種スタンプ画像や線描用画像のデータなど）とを、併せた表示した落書き編集用の画面を表示して、利用者による落書き編集を行わせる。そして、これにより利用者の操作に基づく落書き画像を生成して、落書き編集対象の合成静止画像と落書き画像とを合成した編集合成画像を生成して、タッチパネル付ディスプレイ２２上に、落書き編集対象の合成静止画像に対する落書き編集処理中あるいは落書き編集処理結果の編集合成画像を表示すると共に、編集合成画像を逐次更新して記憶部６０４に記憶する。このとき、前記ステップＳ７０３で表示した画像（落書き画像）アイテム以外の画像アイテムを表示して、利用者がこれらを使用できるようにしてもよい。
【００４５】
ステップＳ９０４の落書き編集中に、撮影機能部２０２で別の利用者が撮影処理中（撮影プレイ中）かどうかを判定し、撮影処理中でなければステップＳ９０４おいて、利用者に対して落書き編集を継続することを許可し、そうでなければステップＳ９０６に進む。ステップＳ９０６では、予め定められた編集時間が経過したかどうかを判定し、編集時間内ならばステップＳ９０４において、利用者に対して落書き編集を継続することを許可し、編集時間をオーバーしているならばステップＳ９０７に進む。なお、ステップＳ９０４の落書き編集の処理では、利用者が満足のいく落書き編集を行えたと判断したときに、利用者の指示により終了できるようにもなっている。
【００４６】
ステップＳ９０６において、編集時間が経過したならば、編集を終了し、ステップＳ９０７において、印刷レイアウトを選択するための、つまり、１枚のシート紙に落書き編集した編集合成画像をどのようなプリント形式で印刷するかを選択するためのレイアウト選択用画面を、タッチパネル付ディスプレイ２２上に表示して、利用者に所望する印刷レイアウトを選択させる。なお、ステップＳ９０７では、落書き編集していない合成静止画像を選択し、これを所望する印刷レイアウトで印刷するように、指定させるようにしてもよい。
【００４７】
ステップＳ９０７での印刷レイアウトの選択が済むと、印刷出力機能部２０４のプリンタ２５において、指定された印刷レイアウトでシール紙への印刷が開始される。印刷が開始されると、ステップＳ９０８において、印刷出力機能部２０４へ利用者を案内した後、編集機能部２０３での処理を終了する。なお、印刷出力機能部２０４へ利用者を案内する手法としては、タッチパネル付ディスプレイ２２に表示する手法、および／または、スピーカ２４から案内メッセージを音声出力する手法をとればよい。
【００４８】
以上のように本実施形態では、受け付け機能部２０１のある受け付け空間１１と、撮影機能部２０２のある撮影空間１２とを、互いに独立した空間として、受け付け機能部２０１で、撮影前に利用者が好みのオリジナル合成用画像（オリジナルな前景画像および背景画像）を自由に作成操作することができるようにしているので、撮影前のオリジナルな合成画像の作成過程という、従来にない娯楽性を利用者に享受してもらうことができ、以って、利用者の満足度を大いに向上させることができる。また、この撮影前に事前に行うオリジナル合成用画像の作成は、撮影後に行う従来からある落書きプレイ（編集プレイ）と同様の入力操作で行えるので、利用者にとまどいを与えることもなく、利用者には、撮影の前と後に落書きプレイを２度楽しんでもらうことができて、これにより、最終的に印刷出力する合成画像に対する利用者の満足度を高めることができる。また、撮影前のオリジナル合成画像の作成のための画像アイテム（スタンプ画像など）も撮影後に行う落書きプレイ用のものと兼用できる。また、受け付け機能部２０１のある受け付け空間１１と撮影機能部２０２のある撮影空間１２とを独立したものとしているので、撮影前の操作を余裕をもって行える環境を構築できて、利用者が撮影条件などの設定操作を誤りなく行うことができ、また、現在撮影空間１２で別の利用者が撮影中であっても、次の利用者は、受け付け空間１１で、入力操作を行うことができて、次の利用者が手持ち沙汰感を抱くこともなくなる。さらにまた、撮影空間１２で撮影中の利用者には、次の利用者が受け付け機能部２０１で受け付けを行うまでは、撮影を継続することを許容するようにしているので、利用者は満足のいくまで撮り直しを行うことができる。
【００４９】
なお、上述した実施形態では、撮影空間１２と編集空間１３とを別個に設けた構成としているが、撮影空間と編集空間とが同一空間である画像プリント装置であっても、本発明は適用可能である。
【図面の簡単な説明】
【００５０】
【図１】本発明の一実施形態に係る画像プリント装置の外観を示す斜視図である。
【図２】本発明の一実施形態に係る画像プリント装置を、天井部を取り去り上方から見た説明図である。
【図３】本発明の一実施形態に係る画像プリント装置の装置本体を、図２中の矢印Ａの方向から見た受け付け機能部斜視図である。
【図４】本発明の一実施形態に係る画像プリント装置の装置本体を、図２中の矢印Ｂの方向から見た撮影機能部の斜視図である。
【図５】本発明の一実施形態に係る画像プリント装置の装置本体を、図２中の矢印Ｃの方向から見た編集機能部の斜視図である。
【図６】本発明の一実施形態に係る画像プリント装置の装置本体の機能構成を示すブロック図である。
【図７】本発明の一実施形態に係る画像プリント装置における、受け付け機能部での処理の流れを示すフローチャートである。
【図８】本発明の一実施形態に係る画像プリント装置における、撮影機能部での処理の流れを示すフローチャートである。
【図９】本発明の一実施形態に係る画像プリント装置における、編集機能部での処理の流れを示すフローチャートである。
【図１０】本発明の一実施形態に係る画像プリント装置において、受け付け機能部で表示されるオリジナル合成用画像を作成するための操作用画面の例を示す説明図である。
【図１１】本発明の一実施形態に係る画像プリント装置において、撮影機能部で撮影中に表示されるプレビュー用合成動画像の例を示す説明図である。
【符号の説明】
【００５１】
１  装置本体
２、３、６、７、９、１０  カーテン
４Ａ、４Ｂ、５  仕切板
８  払い出し口
１１  受け付け空間
１２  撮影空間
１３  編集空間
１０１、１０２  開口部
２０１  受け付け機能部
２０２  撮影機能部
２０３  編集機能部
２０４  印刷出力機能部
１４  タッチパネル付ディスプレイ
１５Ａ、１５Ｂ  タッチペン
１７  課金装置
１８  デジタルカメラ（カメラ）
１９  タッチパネル付ディスプレイ
２０  スピーカ
２１Ａ〜２１Ｃ  ストロボ
２２  タッチパネル付ディスプレイ
２３Ａ、２３Ｂ  タッチペン
２４  スピーカ
２５  プリンタ
６０１  制御装置
６０２  ＣＰＵ
６０３  メモリ
６０４  記憶部
６０５  画像処理部
６０６  画像出力部
６０７  Ｉ／Ｏ制御部
６０８  音声出力部
６０９  コイン制御部
６１０  画像入力部
６１１  画像出力部
６１２  Ｉ／Ｏ制御部
６１３  音声出力部
６１４  照明制御部
６１５  画像出力部
６１６  Ｉ／Ｏ制御部
６１７  音声出力部
６１８  プリンタ制御部
【図１】
2006279248.tif 000003
【図２】
2006279248.tif 000004
【図３】
2006279248.tif 000005
【図４】
2006279248.tif 000006
【図５】
2006279248.tif 000007
【図６】
2006279248.tif 000008
【図７】
2006279248.tif 000009
【図８】
2006279248.tif 000010
【図９】
2006279248.tif 000011
【図１０】
2006279248.tif 000012
【図１１】
2006279248.tif 000013